【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
発呼信号を送信する第１無線通信装置と、前記発呼信号に対する応答信号を送信する第２無線通信装置とが、所定数のチャンネルから１つのチャンネルを選択して通信を行う無線通信システムにおいて、
前記第１無線通信装置及び前記第２無線通信装置のそれぞれが、前記所定数のチャンネルを１チャンネル毎に切り換えて、前記応答信号及び前記発呼信号のサーチを行い、
前記第１無線通信装置及び前記第２無線通信装置のそれぞれが、同一チャンネルで通信状態となり、前記応答信号及び前記発呼信号を受信して、それぞれの存在を相互に認識したときに初めて、その通信状態となった前記同一チャンネルを占有して通信を行うことを特徴とする無線通信システム。
【請求項２】
発呼信号を送信する第１無線通信装置と、前記発呼信号に対する応答信号を送信する第２無線通信装置とが、所定数のチャンネルから１つのチャンネルを選択して通信を行う無線通信システムにおいて、
前記第１無線通信装置及び前記第２無線通信装置のそれぞれが、前記所定数のチャンネルを１チャンネル毎に切り換えて、前記応答信号及び前記発呼信号のサーチを行い、
前記第１無線通信装置及び前記第２無線通信装置のそれぞれが、同一チャンネルで通信状態となり、前記応答信号及び前記発呼信号を受信して、それぞれの存在を相互に認識したときに初めて、その通信状態となった前記同一チャンネルを占有して通信を行うとともに、
前記応答信号及び前記発呼信号のサーチが行われる際、前記第１無線通信装置が１チャンネル毎に前記第２無線通信装置からの前記応答信号をサーチする第１期間が、前記第２無線通信装置が１チャンネル毎に前記第１無線通信装置からの前記発呼信号をサーチする第２期間と異なる長さであることを特徴とする無線通信システム。
【請求項３】
前記第１期間が、前記第２期間に比べて短いことを特徴とする請求項２に記載の無線通信システム。
【請求項４】
発呼信号を送信する第１無線通信装置と、前記発呼信号に対する応答信号を送信する第２無線通信装置とが、所定数のチャンネルから１つのチャンネルを選択して通信を行う無線通信システムにおいて、
前記第１無線通信装置及び前記第２無線通信装置のそれぞれが、前記所定数のチャンネルを１チャンネル毎に切り換えて、前記応答信号及び前記発呼信号のサーチを行い、
前記第１無線通信装置及び前記第２無線通信装置のそれぞれが、同一チャンネルで通信状態となり、前記応答信号及び前記発呼信号を受信して、それぞれの存在を相互に認識したときに初めて、その通信状態となった前記同一チャンネルを占有して通信を行うとともに、
前記応答信号及び前記発呼信号のサーチが行われる際、前記第１無線通信装置が１チャンネル毎に前記第２無線通信装置からの前記応答信号をサーチする第１期間が、前記第２無線通信装置が１チャンネル毎に前記第１無線通信装置からの前記発呼信号をサーチする第２期間と異なる長さであり、又、前記第２期間が、前記第１無線通信装置が全てのチャンネルについて前記第２無線通信装置からの前記応答信号をサーチする期間と同じ長さであることを特徴とする無線通信システム。
【請求項５】
前記第１期間が、前記第２期間に比べて短いことを特徴とする請求項４に記載の無線通信システム。
【請求項６】
発呼信号を送信する第１無線通信装置と、前記発呼信号に対する応答信号を送信する第２無線通信装置とが、所定数のチャンネルから１つのチャンネルを選択して通信を行う無線通信システムにおいて、
前記第１無線通信装置及び前記第２無線通信装置のそれぞれが、前記所定数のチャンネルを１チャンネル毎に切り換えて、前記応答信号及び前記発呼信号のサーチを行い、
前記第１無線通信装置及び前記第２無線通信装置のそれぞれが、同一チャンネルで通信状態となり、前記応答信号及び前記発呼信号を受信して、それぞれの存在を相互に認識したときに初めて、その通信状態となった前記同一チャンネルを占有して通信を行うとともに、
前記応答信号及び前記発呼信号のサーチが行われる際、前記第１無線通信装置が１チャンネル毎に前記第２無線通信装置からの前記応答信号をサーチする第１期間が、前記第２無線通信装置が１チャンネル毎に前記第１無線通信装置からの前記発呼信号をサーチする第２期間と異なる長さであり、又、前記第２期間が、前記第１無線通信装置が全てのチャンネルについて前記第２無線通信装置からの前記応答信号をサーチする期間と異なる長さであることを特徴とする無線通信システム。
【請求項７】
前記第１期間が、前記第２期間に比べて短いことを特徴とする請求項６に記載の無線通信システム。
【請求項８】
前記第２期間が、前記第１無線通信装置が全てのチャンネルについて前記第２無線通信装置からの前記応答信号をサーチする期間よりも長い期間であることを特徴とする請求項６に記載の無線通信システム。
【請求項９】
前記第１期間が、前記第２期間に比べて短いことを特徴とする請求項８に記載の無線通信システム。
【請求項１０】
前記第１無線通信装置及び前記第２無線通信装置が、それぞれ、前記所定数のチャンネルをチャンネル毎にサーチする際、他の無線通信装置によって使用されているチャンネルを検知し、該使用されているチャンネル以外のチャンネルを利用して通信を行うことを特徴とする請求項１〜請求項９のいずれかに記載の無線通信システム。
【請求項１１】
前記第１無線通信装置と前記第２無線通信装置との距離が遠いときは、それぞれが送受信する信号のゲインが大きくなるように増幅するとともに、前記第１無線通信装置と前記第２無線通信装置との距離が近いときは、それぞれが送受信する信号のゲインが小さくなるように減衰することを特徴とする請求項１〜請求項１０のいずれかに記載の無線通信システム。
【請求項１２】
前記第１無線通信装置が送受信する信号のゲインが大きくなるように増幅して応答信号をサーチしている際に、受信した信号が応答信号として確認できない場合、同一チャンネルで送受信する信号のゲインが小さくなるように減衰して応答信号のサーチを行うことを特徴とする請求項１１に記載の無線通信システム。
【請求項１３】
前記第２無線通信装置が送受信する信号のゲインが大きくなるように増幅して発呼信号をサーチしている際に、受信した信号が発呼信号として確認できない場合、同一チャンネルで送受信する信号のゲインが小さくなるように減衰して発呼信号のサーチを行うことを特徴とする請求項１１又は請求項１２に記載の無線通信システム。
【請求項１４】
前記第１無線通信装置が、所定回数、チャンネルを切り換えても応答信号が受信されないとき、通信不可能であると認識することを特徴とする請求項１〜請求項１３のいずれかに記載の無線通信システム。
【請求項１５】
前記所定数のチャンネルが、当該無線通信システムに割り当てられた周波数帯域全域に特定の周波数毎に設けられた全てのチャンネルであることを特徴とする請求項１〜請求項１４のいずれかに記載の無線通信システム。
【請求項１６】
所定数のチャンネルから１つのチャンネルを選択して通信を行う無線通信装置において、
信号を送受信する送受信部と、
該送受信部で信号を送受信するチャンネルを切り換えるチャンネル切換部と、
前記送受信部から送信する発呼信号を生成する発呼信号生成部と、
前記チャンネル切換部で設定されたチャンネルで前記送受信部が受信した信号を認識する認識部と、
前記認識部で認識された信号が自己への応答信号であるか否か判定を行う応答信号判定部と、を有し、
前記チャンネル切換部で前記送受信部で送受信する信号のチャンネルを１チャンネル毎に切り換えて、所定期間毎に自己への応答信号をサーチするとともに、
前記認識部で認識された信号が前記応答信号判定部で自己への応答信号であると判定されたとき、該応答信号を受信したチャンネルで通信可能な状態とし、
前記認識部で認識された信号が前記応答信号判定部で自己への応答信号でないと判定されたとき、前記認識部で認識された信号が受信されたチャンネルが他の無線通信装置において使用中であることが確認され、前記チャンネル切換部によって他のチャンネルに切り換えて、自己への応答信号のサーチを行い、
前記認識部で信号が認識されなかったとき、一旦、前記発呼信号生成部で生成された発呼信号を送信した後、更に、前記認識部で信号が認識されなかった場合、又は、前記認識部で認識された信号が前記応答信号判定部で自己への応答信号でないと判定された場合は、前記チャンネル切換部によって他のチャンネルに切り換えて、自己への応答信号のサーチを行うことを特徴とする無線通信装置。
【請求項１７】
更に、前記送受信部で送受信される信号のゲインを切り換える増幅減衰切換部を有し、
前記送受信部で送受信される信号が前記増幅減衰切換部によって増幅される増幅モードで自己への応答信号のサーチが行われている際に、前記認識部で認識された信号が前記応答信号判定部で自己への応答信号でないと判定されたとき、再び、前記送受信部で送受信される信号が前記増幅減衰切換部によって減衰される減衰モードとして、同一チャンネルで自己への応答信号のサーチを行い、このとき、前記認識部で信号が認識されなかった場合、又は、前記認識部で認識された信号が前記応答信号判定部で自己への応答信号でないと判定された場合は、前記チャンネル切換部によって他のチャンネルに切り換えて、自己への応答信号のサーチを行うことを特徴とする請求項１６に記載の無線通信装置。
【請求項１８】
前記チャンネル切換部で、所定回数、チャンネルを切り換えても応答信号が受信されないとき、通信不可能であると認識することを特徴とする請求項１６又は請求項１７に記載の無線通信装置。
【請求項１９】
所定数のチャンネルから１つのチャンネルを選択して通信を行う無線通信装置において、
信号を送受信する送受信部と、
該送受信部で信号を送受信するチャンネルを切り換えるチャンネル切換部と、
前記送受信部から送信する応答信号を生成する応答信号生成部と、
前記チャンネル切換部で設定されたチャンネルで前記送受信部が受信した信号を認識する認識部と、
前記認識部で認識された信号が自己への発呼信号であるか否か判定を行う発呼信号判定部と、を有し、
前記チャンネル切換部で前記送受信部で送受信する信号のチャンネルを１チャンネル毎に切り換えて、所定期間毎に自己への発呼信号をサーチするとともに、
前記認識部で認識された信号が前記発呼信号判定部で自己への発呼信号であると判定されたとき、該発呼信号を送信した無線通信装置に対して前記応答信号生成部で生成した応答信号を送信し、前記発呼信号を受信したチャンネルで通信可能な状態とし、
前記認識部で信号が認識されなかったとき、又は、前記認識部で認識された信号が前記発呼信号判定部で自己への発呼信号でないと判定されたとき、前記チャンネル切換部によって他のチャンネルに切り換えて、自己への発呼信号のサーチを行うことを特徴とする無線通信装置。
【請求項２０】
更に、前記送受信部で送受信される信号のゲインを切り換える増幅減衰切換部を有し、
前記送受信部で送受信される信号が前記増幅減衰切換部によって増幅される増幅モードで自己への発呼信号のサーチが行われている際に、前記認識部で認識された信号が前記発呼信号判定部で自己への発呼信号でないと判定されたとき、再び、前記送受信部で送受信される信号が前記増幅減衰切換部によって減衰される減衰モードとして、同一チャンネルで自己への発呼信号のサーチを行い、このとき、前記認識部で信号が認識されなかった場合、又は、前記認識部で認識された信号が前記発呼信号判定部で自己への発呼信号でないと判定された場合は、前記チャンネル切換部によって他のチャンネルに切り換えて、自己への発呼信号のサーチを行うことを特徴とする請求項１９に記載の無線通信装置。
【請求項２１】
前記所定数のチャンネルが、当該無線通信装置が使用される無線通信システムに割り当てられた周波数帯域全域に特定の周波数毎に設けられた全てのチャンネルであることを特徴とする請求項１６〜請求項２０のいずれかに記載の無線通信装置。
【請求項２２】
所定部分を第１の部分と第２の部分とに分離することが可能な電子機器において、
該電子機器が請求項１〜請求項１５のいずれかに記載の無線通信システムを利用するとともに、
前記第１の部分が前記第１無線通信装置を備え、前記第１の部分以外の前記第２の部分が前記第２無線通信装置を備えることによって、前記第１の部分と前記第２の部分とが無線通信を行うことを特徴とする電子機器。
【手続補正２】
【補正対象書類名】明細書
【補正対象項目名】００１２
【補正方法】変更
【補正の内容】
【００１２】
このような無線通信システムにおいて、第１無線通信装置からの発呼信号を同一チャンネルで受信した第２無線通信装置が、該チャンネルで応答信号を送信し、この応答信号を第１無線通信装置が受信したときにのみ、発呼信号及び応答信号のやりとりを行ったチャンネルが、第１無線通信装置と第２無線通信装置との通信に使用される。よって、相互に通信を行っていない一方の無線通信装置のみが空きチャンネルをサーチして占有することがなく、全てのチャンネルが第１無線通信装置と第２無線通信装置との通信に使用される。更に、前記所定数のチャンネルを、当該無線通信システムに割り当てられた周波数帯域全域に特定の周波数毎に設けられた全てのチャンネルとすることで、専用制御チャンネル方式における制御チャンネルをも使用可能なチャンネルとする。
【手続補正３】
【補正対象書類名】明細書
【補正対象項目名】００１４
【補正方法】変更
【補正の内容】
【００１４】
このような無線通信装置は、上述した無線通信システムにおいて第１無線通信装置として働く。そして、チャンネル切換部でチャンネルを切り換えると、まず、信号が受信されるか否か認識部で検出される。このとき、認識部で受信信号が認識されると、自己への応答信号か否かが応答信号判定部で判定される。そして、自己への応答信号であるとき、通信可能な状態へ移行する。又、自己への応答信号でないときは、他の無線通信装置が通信にそのチャンネルを使用していると認識する。そして、チャンネル切換部によって、送受信部で送受信するチャンネルを切り換えて自己への応答信号のサーチを行う。又、認識部で受信信号が一定期間認識されなかったとき、発呼信号生成部で生成した発呼信号を同一チャンネルで送信する。このとき、受信信号が認識されなかった場合や、自己への応答信号と判定されなかった場合は、チャンネル切換部によって、送受信部で送受信するチャンネルを切り換えて自己への応答信号のサーチを行う。又、前記所定数のチャンネルを、当該無線通信装置が使用される無線通信システムに割り当てられた周波数帯域全域に特定の周波数毎に設けられた全てのチャンネルとすることで、専用制御チャンネル方式における制御チャンネルをも使用可能なチャンネルとする。
【手続補正４】
【補正対象書類名】明細書
【補正対象項目名】００１６
【補正方法】変更
【補正の内容】
【００１６】
このような無線通信装置は、上述した無線通信システムにおいて第２無線通信装置として働く。そして、チャンネル切換部でチャンネルを切り換えると、まず、信号が受信されるか否か認識部で検出される。このとき、認識部で受信信号が認識されると、自己への発呼信号か否かが発呼信号判定部で判定される。そして、自己への発呼信号であるとき、通信可能な状態へ移行する。又、自己への発呼信号でないときは、他の無線通信装置が通信にそのチャンネルを使用していると認識する。そして、チャンネル切換部によって、送受信部で送受信するチャンネルを切り換えて自己への発呼信号のサーチを行う。又、認識部で受信信号が一定期間認識されなかったときも同様に、チャンネル切換部によって、送受信部で送受信するチャンネルを切り換えて自己への発呼信号のサーチを行う。又、前記所定数のチャンネルを、当該無線通信装置が使用される無線通信システムに割り当てられた周波数帯域全域に特定の周波数毎に設けられた全てのチャンネルとすることで、専用制御チャンネル方式における制御チャンネルをも使用可能なチャンネルとする。
【手続補正５】
【補正対象書類名】明細書
【補正対象項目名】００１７
【補正方法】変更
【補正の内容】
【００１７】
更に、本発明の電子機器は、所定部分を第１の部分と第２の部分とに分離することが可能な電子機器において、上述の無線通信システムを利用し、前記第１の部分が前記第１無線通信装置を備え、前記第１の部分以外の前記第２の部分が前記第２無線通信装置を備えることによって、前記第１の部分と前記第２の部分とが無線通信を行うことを特徴とする。